(57)【要約】【課題】遊技機の裏面に球通路を一体に形成した球タンクを設置するに、可変表示装置等との干渉を起こすことがなく、しかも、二条の通路を使用でき何ら球詰りも生じない遊技機の球タンクを提供する。【解決手段】遊技機Ｐの裏面に配設され後側壁７ａと前側壁７ｂと左側壁７ｃと右側壁７ｄと底部１０とにより囲われ上面が開放する球タンク７であって、底部１０は、前側壁７ｂの内側に接して形成される第１球通路１２及び仕切り壁１３を介しその内側に接して形成され該第１球通路１２の上流端よりも下流側から始まる第２球通路１４と、上面が第１・第２球通路１２，１４に向って下傾する底壁１５と、からなり、第１・第２球通路１２，１４は溝断面が凹形状をなしかつ溝深さが遊技球の球径よりも浅く、貯留される遊技球を第１・第２球通路１２，１４内を流下させ球出口１８から流出させるようにした。【選択図】図１
2008161265.tif 000002
【特許請求の範囲】
【請求項１】
遊技機の裏面に配設され後側壁と該後側壁と対向位置する前側壁と上流側の左側壁と下流側の右側壁と底部とにより囲われ上面が開放する球タンクであって、
前記底部は、前記前側壁の内側に該前側壁に接して形成される第１球通路及び仕切り壁を介し該第１球通路の内側に接して形成され該第１球通路の上流端よりも下流側から始まる第２球通路と、上面が前記第１・第２球通路に向って下傾する底壁と、からなり、前記第１・第２球通路は溝断面が凹形状をなしかつ溝深さが遊技球の球径よりも浅く、前記底部に貯留される遊技球を前記第１・第２球通路内を流下させてその下流端に設けられた球出口から流出させるようにしたことを特徴とする遊技機の球タンク。
【請求項２】
前記仕切り壁には、前記第１球通路側に面した上端部に沿ってその上端に進むに従い厚みが漸次薄くなる傾斜面を形成した請求項１記載の遊技機の球タンク。
【請求項３】
前記仕切り壁における上端縁は、上流側に対する下流側の傾斜角度が下流側に進むに従い漸次上向きに大きくなる請求項１又は２記載の遊技機の球タンク。
【請求項４】
前記底壁上面を前記第２球通路の上流端と前記後側壁との間に設けた分割線により二分割し、前記分割線より前記左側壁側の底壁上面を前記第１球通路側と前記右側壁側とに下傾し、また、前記分割線より前記右側壁側の底壁上面を前記第２球通路側と前記左側壁側とに下傾した請求項１又は２又は３記載の遊技機の球タンク。
【請求項５】
前記分割線に沿って前記右側壁側の底壁上面より前記左側壁側の底壁上面が低くなる第１段部を設けた請求項４記載の遊技機の球タンク。
【請求項６】
前記左側壁側の底壁上面の流下端と前記仕切り壁の上流端との間に該左側壁側の底壁上面の流下端より該仕切り壁の上流端が低くなる第２段部を設けた請求項４又は５記載の遊技機の球タンク。
【発明の詳細な説明】
【技術分野】
【０００１】
本発明は、パチンコ遊技機等の遊技機の裏面に配設され遊技球を貯留する球タンクに関するものである。
【背景技術】
【０００２】
従来、遊技機の一種であるパチンコ遊技機には、遊技盤面に液晶画面を有する可変表示装置や入賞装置を備えたものが有るが、近時、遊技の興趣を一段と高めるため可変表示装置や入賞装置の大型化が加速している。これに伴い、遊技盤も大型化する傾向にある。
【０００３】
しかしながら、前記のように可変表示装置や入賞装置を大型化すると、これら遊技盤の裏面から後方へ突出する後端部とパチンコ遊技機の裏側上部に配設される球タンクやその下方に配設されるタンクレールとに干渉が起こり、球タンクやタンクレールの設置位置を決定するに設計上制約が加わることになってその設置位置の決定に苦慮していた。これに対し、例えば、特許文献１や特許文献２に示される球タンクが開発されている。
【０００４】
前記特許文献１に係る球タンクは、球タンク本体の底部における長手方向のほぼ中央に沿って溝断面が凹形状の二条の球通路を横に並設して形成している。また、特許文献２に係る球タンクは、球タンク本体における前側壁の内側に該前側壁に接するようにして溝断面が凹形状をなす一条の球通路を形成している。
【０００５】
【特許文献１】特開平９−２８８８６号公報（第３頁、図３、図５）
【特許文献２】特開２００１−２０４９３２号公報（第４−５頁、図１乃至図３）
【発明の開示】
【発明が解決しようとする課題】
【０００６】
このように、特許文献１・２に係る球タンクは、いずれも球通路が球タンク本体に一体に設けられているので、ほぼタンクレールの高さ分上下方向のスペースが空くことになる。しかしながら、特許文献１の球タンクは、底部における長手方向のほぼ中央に沿って横に並ぶ二条の球通路が下方へ突出するようにして形成されていることから、前後方向の位置関係で可変表示装置や入賞装置の後端部と球通路の外側壁とが未だ干渉してしまうといった課題がある。これに対し、特許文献２に係る球タンクは、球通路が前側壁の内側に該前側壁に接するようにして形成されているので、球通路をパチンコ遊技機の裏面から後方へ最も遠ざけることができ、前記干渉の問題は解消されるも、例えば二条の通路を有する球払出装置を使用すべく一条の球通路を二条に分岐して形成する場合にはその分岐部で球詰りを起こす危険性が高い。
【０００７】
そこで、本発明は、上記課題に鑑みてなされたもので、遊技機の裏面に球通路を一体に形成した球タンクを設置するに可変表示装置等との干渉を起こすことがなく、しかも、二条の通路を使用でき何ら球詰りも生じない遊技機の球タンクを提供することを目的とするものである。
【課題を解決するための手段】
【０００８】
かかる目的を達成するため本発明の遊技機の球タンクは、遊技機の裏面に配設され後側壁と該後側壁と対向位置する前側壁と上流側の左側壁と下流側の右側壁と底部とにより囲われ上面が開放する球タンクであって、前記底部は、前記前側壁の内側に該前側壁に接して形成される第１球通路及び仕切り壁を介し該第１球通路の内側に接して形成され該第１球通路の上流端よりも下流側から始まる第２球通路と、上面が前記第１・第２球通路に向って下傾する底壁と、からなり、前記第１・第２球通路は溝断面が凹形状をなしかつ溝深さが遊技球の球径よりも浅く、前記底部に貯留される遊技球を前記第１・第２球通路内を流下させてその下流端に設けられた球出口から流出させるようにしたことを特徴とする。
【０００９】
この際、前記仕切り壁には、前記第１球通路側に面した上端部に沿ってその上端に進むに従い厚みが漸次薄くなる傾斜面を形成することが好ましい。
【００１０】
また、前記仕切り壁における上端縁は、上流側に対する下流側の傾斜角度が下流側に進むに従い漸次上向きに大きくすることが好ましい。
【００１１】
前記底壁上面を前記第２球通路の上流端と前記後側壁との間に設けた分割線により二分割し、前記分割線より前記左側壁側の底壁上面を前記第１球通路側と前記右側壁側とに下傾し、また、前記分割線より前記右側壁側の底壁上面を前記第２球通路側と前記左側壁側とに下傾することが好ましい。
【００１２】
また、前記分割線に沿って前記右側壁側の底壁上面より前記左側壁側の底壁上面が低くなる第１段部を設けることが好ましい。
【００１３】
更に、前記左側壁側の底壁上面の流下端と前記仕切り壁の上流端との間に該左側壁側の底壁上面の流下端より該仕切り壁の上流端が低くなる第２段部を設けることが好ましい。
【発明の効果】
【００１４】
請求項１に係る遊技機の球タンクは、底部における前側壁の内側に該前側壁に接して第１球通路を形成し、仕切り壁を介し該第１球通路の内側に接して第１球通路の上流端よりも下流側から始まる第２球通路を形成するようにしたので、第１・第２球通路が遊技盤裏面から遠ざかり、遊技機の裏面上部に上下方向並びに前後方向にスペースが確保される。これにより、大型化した可変表示装置や入賞装置との干渉をなくすことができ、球タンクの設置が可能になる。しかも、底部の遊技球を比較的集合し難い第１球通路にも落下させることができ、第１・第２球通路内の遊技球量のバランスが均等に保持できる。また、第１・第２球通路の溝深さは遊技球の球径よりも浅いので、それら球通路から遊技球が上方へ突出することになり、これらの上面に多段に積み重ねられる他の遊技球のバランスが崩れ易く、これによって球詰りが防止できる。また、二条の通路を有する球払出装置にも容易に対応できるという有益な効果を有する。
【００１５】
請求項２に係る遊技機の球タンクは、前記効果に加え、仕切り壁の上面に乗る遊技球が不安定になって第１球通路または第２球通路のいずれかに落下し易い。これにより、球崩し作用が働き遊技球の力のバランスが崩れ易くなって球詰り防止効果が向上する。
【００１６】
請求項３に係る遊技機の球タンクは、前記効果に加え、仕切り壁の上端縁であって上流側に対する下流側の傾斜角度が下流側に進むに従い漸次上向きに大きくなるので、この上端縁に遊技球が当接して球崩し作用が働き、球詰り防止効果が向上するという効果が有る。
【００１７】
請求項４に係る遊技機の球タンクは、前記効果に加え、底壁上面を第２球通路の上流端と後側壁との間に設けた分割線により二分割している。そして、分割線より左側壁側の底壁上面を第１球通路側と右側壁側とに下傾し、また、分割線より右側壁側の底壁上面を第２球通路側と左側壁側とに下傾するようにしたので、第１球通路と第２球通路への遊技球量の配分が比較的均等に行なえ、遊技球の流下がスムーズに行なえるばかりか球詰り防止効果も向上するという効果が有る。
【００１８】
請求項５に係る遊技機の球タンクは、分割線に沿って右側壁側の底壁上面より左側壁側の底壁上面が低くなる第１段部を設けるようにしたので、この位置で球崩し作用が働き球詰り防止効果が向上するという効果が有る。
【００１９】
請求項６記載の遊技機の球タンクも、左側壁側の底壁上面の流下端と仕切り壁の上流端との間に、該左側壁側の底壁上面の流下端より該仕切り壁の上流端が低くなる第２段部を設けるようにしたので、この位置で球崩し作用が働き球詰り防止効果が向上する。因みに、この位置は周囲から遊技球が集中し易いところであって、特に球詰りが起き易い。
【発明を実施するための最良の形態】
【００２０】
以下、本発明に係る遊技機の球タンクの実施の形態を図面に基づき詳しく説明する。本発明は、パチンコ遊技機、アレンジボール機、雀球機、パロット（登録商標）機等の遊技機のいずれにも適用できるが、この内、本発明はパチンコ遊技機に適用される場合について説明する。図７は、本発明が適用されるパチンコ遊技機の裏面図である。
【００２１】
パチンコ遊技機Ｐは木製の縦長長方形状の機枠１を有し、該機枠１の前面一側に合成樹脂製の本体枠２が開閉自在に軸着される。該本体枠２は額縁状に成形され、その裏側に遊技盤３が着脱自在に設置される。図示は省略するが、遊技盤３の前面に渦巻状に敷設された内側・外側ガイドレールに囲まれる遊技部が形成され、該遊技部に可変表示装置、入賞口、風車、障害釘といった所謂盤面部品が装着される。本体枠２の裏面に、遊技盤３を囲うように合成樹脂製の機構板４が一側を軸着して開閉自在に装着されている。該機構板４の中央部は開口５しており、前記盤面部品、例えば可変表示装置であって遊技盤３の裏側へ突出する部位が開口５に臨むようになっている。６はその突出する部位を囲うカバー部材である。
【００２２】
前記機構板４の裏面には、その上部にパチンコ遊技機Ｐの上方に設置される図示しない補給樋から供給された遊技球であるパチンコ球を貯留する球タンク７が配設される。該球タンク７の一側に該球タンク７から排出されるパチンコ球を下方へ導く屈曲樋８が接続され、その下流端に二条の通路を有する球払出装置９が装着されている。該球払出装置９は、電気的に作動し、例えば、遊技盤３面の入賞口にパチンコ球が入賞した際に、その入賞球に対応した個数の賞球としてのパチンコ球を排出するほか、遊技者が初めに遊技するのに使用する所定量の貸球としてのパチンコ球も排出できるようになっている。球払出装置９から排出されたパチンコ球は、パチンコ遊技機Ｐの前面側に導かれ、その下部に装着される球受皿（図示せず。）に貯留されることになる。
【００２３】
次に、本発明に係る球タンクについて説明する。図１は本発明に係る球タンクの斜視図、図２は同平面図である。球タンク７は、パチンコ遊技機Ｐの裏側である機構板４の裏面に接する後側壁７ａと該後側壁７ａと対向位置する前側壁７ｂと上流側の左側壁７ｃと下流側の右側壁７ｄと底部１０とにより囲われるようにして形成され上面が開放した球タンク本体１１を有する。球タンク本体１１は、前・後側壁７ａ，７ｂが左・右側壁７ｃ，７ｄよりも長い寸法をなす平面横長長方形状に成形される。そして、底部１０は、前側壁７ｂの内側に該前側壁７ｂに接して形成される第１球通路１２及び仕切り壁１３を介し第１球通路１２の内側に接して並設される第２球通路１４と、上面が第１・第２球通路１２，１４に向って下傾する底壁１５と、からなる。また、右側壁７ｄの外側には、第１・第２球通路１２，１４が延長して配される箱枠部１６が一体に形成されている。
【００２４】
第１球通路１２は、図３に示すように右側壁７ｄ側に向って下傾しており、溝断面が凹形状をなしかつ溝深さがパチンコ球の球径よりも浅く形成されている。その溝の深さは、例えば５〜８ｍｍが好ましい。また、第１球通路１２の上流端は左側壁７ｃに達し、下流側は右側壁７ｄに開設された通口１７を介し箱枠部１６内にまで延びており、その下流端が箱枠部１６の右端面に設けられる球出口１８に達している。第２球通路１４は、図４に示すように第１球通路１２と同様に右側壁７ｄ側に向って下傾しており、溝断面が凹形状をなしかつ溝深さがパチンコ球の球径よりも浅く形成されているが、第１球通路１２の上流端よりも下流側から始まるようになっている。すなわち、底壁１５の長手方向における中間位置よりやや右側壁７ｄよりに上流端１４ａがある。第２球通路１４の溝の深さも、例えば５〜８ｍｍが好ましい。そして、第２球通路１４の下流側は、第１球通路１２と同じく通口１７を介して箱枠部１６内に延びており、その流下端が箱枠部１６の右端面に設けられた球出口１８に達している。
【００２５】
図３に示すように、箱枠部１６内における第１球通路１２の上方に、通口１７側に位置して遊技球が当接する下面と第１球通路１２の底面との間隔が下流側に進むに従い狭まる傾斜板部１９が配置される。また、傾斜板部１９の下流側に隣接して、上部に第１球通路１２と直交しかつ水平に横架される支軸２０が設けられ、該支軸２０に上端を軸着して第１球通路１２の長手方向に沿って自在に揺動する球ならし部材２１が設けられる。一方、箱枠部１６内における第２球通路１４は平面略クランク状に屈曲しており、図４に示すように通口１７側でありかつ第２球通路１４の上方に位置して規制板部２２が配置される。該規制板部２２は、上流側の下面に第２球通路１４の底面との間隔が下流側へ進むに従い狭まる裏傾斜面２２ａが形成されている。この裏傾斜面２２ａは、傾斜板部１９の下面ほど長くはない。また、規制板部２２の下流側にも隣接して、上部の前記支軸２０に上端部を軸着し第２球通路１４の長手方向に沿って自在に揺動する球ならし部材２１が設けられている。
【００２６】
第１球通路１２と第２球通路１４を仕切る仕切り壁１３は、その上端縁２３が連続して直線的に二段階に折れ曲がっている。すなわち、その上流側部位２３ａにあっては底面とほぼ平行に形成され、中間部位２３ｂにあっては上流側部位２３ａに対してやや上向きに傾斜し、下流側部位２３ｃにあっては上流側部位２３ａに対して更に傾斜角度が上向きに大きくなっている。仕切り壁１３における上流側部位２３ａの底面からの高さは、遊技球の半径よりも低くしかも溝の深さよりも低く設定されている。下流側部位２３ｃは下流側の一部が箱枠部１６内に入り、それより下流側の上端縁２３は傾斜板部１９の上面にまで達している。また、仕切り壁１３の上端部であって中間部位２３ｂと下流側部位２３ｃに対応する第１球通路１２側には、図３、図６（ロ）に示すように該上端部に沿ってその上端に進むに従い厚みが漸次薄くなる傾斜面２４が形成されている。
【００２７】
底壁１５は、その上面が第２球通路１４の上流端１４ａと後側壁７ａとの間に設けられた分割線２５により二分割され、その分割線２５より左側壁７ｃ側の底壁上面１５ａが図５、図６（イ）に示すように第１球通路１２側と右側壁７ｄ側とに下傾している。また、分割線２５より右側壁７ｄ側の底壁上面１５ｂが図５、図６（ロ）に示すように第２球通路１４側と左側壁７ｃ側とに下傾している。例えば、左側壁７ｃ側の底壁上面１５ａの傾斜角度は、水平面に対して第１球通路１２側へ約２度、右側壁７ｄ側へ約４度下傾し、右側壁７ｄ側の底壁上面１５ｂの傾斜角度は、水平面に対して第１球通路１２側へ約４度、右側壁７ｄ側へ約４度下傾している。
【００２８】
このように、第１球通路１２に対して第２球通路１４の長さを短くすると共に底壁１５の上面を第１球通路１２と第２球通路１４へ向ってそれぞれ下傾させるようにしたのは、球タンク本体１１内に貯留された遊技球ができるだけ第１・第２球通路１２，１４にそれぞれ均等に配分されバランス良く流下するようにし、遊技球の偏りによる球詰りを防止するためである。よって、第２球通路１４の上流端１４ａの位置は、このような条件の下に最適な位置が決定される。
【００２９】
図５に示すように分割線２５の部位には、その分割線２５に沿って右側壁７ｄ側の底壁上面１５ｂより左側壁７ｃ側の底壁上面１５ａが低くなる第１段部２６が設けられる。また、左側壁７ｃ側の底壁上面１５ａの流下端と仕切り壁１３の上流端との間に、該左側壁７ｃ側の底壁上面１５ａの流下端より該仕切り壁１３の上流端が低くなる第２段部２７が設けられている。これらは、遊技球がバランスを崩す要因となる球崩し作用を働かせ、第１・第２球通路１２，１４を流下する遊技球の球詰りを解消させるものである。
【００３０】
本発明に係る球タンクは上記構成からなり、次に作用を説明する。まず、球タンク本体１１に遊技球が貯留されると、底部１０の底壁１５の上面と第１・第２球通路１２，１４に遊技球が充満する。そして、第１・第２球通路１２，１４内の遊技球がそれぞれ下流側へ流下して、下流端の球出口１８，１８から屈曲樋８に流入し球払出装置９に達する。この状態では、球タンク本体１１内や屈曲樋８、更には球払出装置９内の遊技球は停止している。そこで、例えば、遊技盤３面の入賞口に打ち込まれた遊技球が入賞すると、球払出装置９が電気的に作動して所定量の遊技球を払い出す。これに伴い、球タンク本体１１内の遊技球が順次第１・第２球通路１２，１４内を流下して球払出装置９へと向う。
【００３１】
球タンク本体１１内では、第１・第２球通路１２，１４内を遊技球が順次下流側へ流下するが、第１・第２球通路１２，１４の溝深さは遊技球の球径よりも浅いことから、遊技球が各第１・第２球通路１２，１４の上面から上方へ突出することになって、これらの上面に多段に積み重ねられる他の遊技球のバランスが崩れ易くなり、これにより球詰りが防止される。
【００３２】
多段に積み重ねられたまま第１・第２球通路１２，１４を流下する遊技球であって、例えば仕切り壁１３の中間部位２３ｂまたは下流側部位２３ｃの上端縁に載る遊技球は、その上端縁が尖鋭になっていることから不安定になって図６（ロ）に示すように第１球通路１２または第２球通路１４側のいずれかに落下し易い。これにより、球崩し作用が働き遊技球の力のバランスが崩れ易くなっている。しかも、仕切り壁１３の上端縁における上流側に対する下流側の傾斜角度が、該下流側に進むに従い漸次上向きに大きくなるので、この部位においても球崩し作用が働き、これら相乗作用によって球詰り防止効果が向上する。
【００３３】
第１球通路１２内を多段に積み重ねられた状態で通口１７を介し箱枠部１６内に入った遊技球は、その上段の遊技球から傾斜板部１９の下面によって下方へ押し下げられる。更に、これら遊技球は、球ならし部材２１によって一段に整列され球出口１８から屈曲樋８へ排出される。同様に、第２球通路１４内を多段に積み重ねられた状態で通口１７を介して箱枠部１６内に入った遊技球は、その上部の遊技球が規制板部２２の下面の裏傾斜面２２ａによって下方へ少し押し下げられる。更に、これら遊技球は、球ならし部材２１によって一段に整列され、球出口１８から屈曲樋８へ排出される。第２球通路１４は途中で平面略クランク状に屈曲していることから、そこを通過する遊技球が自然と崩れ易く、第１球通路１２に対応する下面全体が傾斜する傾斜板部１９を設置する必要はない。
【００３４】
一方、底壁１５の上面にある遊技球は、それぞれ分割線２５によって分けられる各底壁上面１５ａ，１５ｂを第１球通路１２または第２球通路１４に向って流下することになる。ところが、谷部となる分割線２５部位やその下流端となる左側壁７ｃ側の底壁上面１５ａの流下端と仕切り壁１３の上流端との間は、特に大きい球圧が掛る部分であって、球詰りが起き易い。しかし、本発明にあっては図４、図５に示すように分割線２５に沿って右側壁７ｄ側の底壁上面１５ｂより左側壁７ｃ側の底壁上面１５ａが低くなる第１段部２６を設けている。また、左側壁７ｃ側の底壁上面１５ａの流下端と仕切り壁１３の上流端との間に、該左側壁７ｃ側の底壁上面１５ａの流下端より該仕切り壁１３の上流端が低くなる第２段部２７を設けるようにしている。よって、これら第１・第２段部２６，２７により球崩し作用が働き球詰りが防止される。
【００３５】
このように、本発明は底部１０における前側壁７ｂの内側に該前側壁７ｂに接して第１球通路１２を形成すると共にその内側に接して第１球通路１２の上流端よりも下流側から始まる第２球通路１４を形成するようにしたので、パチンコ遊技機Ｐの裏面上部に上下方向並びに前後方向にスペースが確保される。よって、たとえ可変表示装置や入賞装置が大型化しても、これら可変表示装置や入賞装置に干渉することなく球タンクの設置が可能になる。しかも、球タンク本体１１の適所に球崩し作用を起こさせる手段を設けているので、球詰まりが防止できるばかりか二条の通路を有する球払出装置９にも容易に対応できる。
【００３６】
本発明にあっては、第１球通路１２を前側壁７ｂの内側全体に設けるようにしたが、その上流端が左側壁７ｃよりも少し離れていても良い。また、第２球通路１４の下流側を平面略クランク状に屈曲させたが、第１球通路と同じく真直ぐに延ばすようにしても良い。このようにすれば、第２球通路１４の下流側がパチンコ遊技機Ｐの裏面から離れその分の有効なスペースが更に空くことになるので、可変表示装置等との干渉がより避け易くなる。また、球タンク７は、後側壁７ａ、前側壁７ｂ、左側壁７ｃ、右側壁７ｄを有する構成を説明したが、その内の後側壁７ａを遊技機の裏面、例えば機構板４に一体に成形し、球タンク７は前側壁７ｂ、左側壁７ｃ、右側壁７ｄのみにより成形される平面コ字状の構成であっても本発明は適用できる。
【図面の簡単な説明】
【００３７】
【図１】本発明に係る球タンクの斜視図。
【図２】同平面図。
【図３】図２のＶ−Ｖ線断面図。
【図４】図２のＷ−Ｗ線断面図。
【図５】図２のＸ−Ｘ線断面図。
【図６】（イ）は図２のＹ−Ｙ線断面図、（ロ）は図２のＺ−Ｚ線断面図。
【図７】本発明が適用されるパチンコ遊技機の裏面図。
【符号の説明】
【００３８】
７            球タンク
７ａ          後側壁
７ｂ          前側壁
７ｃ          左側壁
７ｄ          右側壁
１０          底部
１１          球タンク本体
１２          第１球通路
１３          仕切り壁
１４          第２球通路
１５          底壁
１５ａ        底壁上面
１５ｂ        底壁上面
１８          球出口
２３          上端縁
２４          傾斜面
２５          分割線
２６          第１段部
２７          第２段部
Ｐ            遊技機（パチンコ遊技機）
【図１】
2008161265.tif 000003
【図２】
2008161265.tif 000004
【図３】
2008161265.tif 000005
【図４】
2008161265.tif 000006
【図５】
2008161265.tif 000007
【図６】
2008161265.tif 000008
【図７】
2008161265.tif 000009